(57)【要約】【課題】既存の仕組みに与える影響を少なくして高密度記録モードで記録された光ディスクの判別を行うことを可能とする光ディスク装置、光ディスクの判別方法を提供する。【解決手段】光ディスクの記録／再生規格として定められた第１のフォーマットよりも記録密度が高い第２のフォーマットに則して記録／再生を行う光ディスク装置において、前記光ディスクが前記第２のフォーマットに則して記録された状態にあることを示す２値化コードを予め設定しておき、前記光ディスクに前記第２のフォーマットに則して記録を行う場合、前記第１のフォーマットに基づいて設定される前記光ディスクのデータ領域より内周側にある未設定領域に、前記２値化コードを記録する制御手段を備える。【選択図】    図６
2005129148.tif 000002
【特許請求の範囲】
【請求項１】
光ディスクの記録／再生規格として定められた第１のフォーマットよりも記録密度が高い第２のフォーマットに則して記録／再生を行う光ディスク装置において、
前記光ディスクが前記第２のフォーマットに則して記録された状態にあることを示す２値化コードを予め設定しておき、
前記光ディスクに前記第２のフォーマットに則して記録を行う場合、前記第１のフォーマットに基づいて設定される前記光ディスクのデータ領域より内周側にある未設定領域に、前記２値化コードを記録する制御手段を備えたこと、
を特徴とする光ディスク装置。
【請求項２】
前記第１のフォーマットに基づく前記光ディスクは、前記データ領域の内周側において、
前記光ディスクへ出射するレーザーの出力調整用のテスト信号が記録されるテスト領域及び前記テスト領域の外周側に設けられるとともに前記テスト信号の記録回数が記録されるカウント領域を有するパワーキャリブレーション領域と、
前記パワーキャリブレーション領域の外周側に設けられるとともに前記光ディスクへの記録／再生の状態を示す情報が記憶されるプログラムメモリ領域と、を設けており、
前記未設定領域は、
前記カウント領域と前記プログラムメモリ領域との間の領域としたこと、
を特徴とする請求項１に記載の光ディスク装置。
【請求項３】
光ディスクの記録／再生規格として定められた第１のフォーマットよりも記録密度が高い第２のフォーマットに則して記録／再生を行う光ディスク装置の光ディスク判別方法であって、
前記光ディスクが前記第２のフォーマットに則して記録された状態にあることを示す２値化コードを予め設定し、
前記光ディスクに前記第２のフォーマットに則して記録を行う場合、前記第１のフォーマットに基づいて設定される前記光ディスクのデータ領域より内周側にある未設定領域に、前記２値化コードを記録すること、
を特徴とする光ディスク判別方法。
【請求項４】
光ディスクの記録／再生規格として定められた第１のフォーマットより記録密度が高い第２のフォーマットに則して記録された前記光ディスクを判別する方法であって、
前記第２のフォーマットに則した記録／再生を行う第１の光ディスク装置は、
前記光ディスクが前記第２のフォーマットに則して記録された状態にあることを示す２値化コードを予め設定し、
前記光ディスクを前記第２のフォーマットに則して記録を行う場合、前記第１のフォーマットに基づいて設定される前記光ディスクのデータ領域より内周側にある未設定領域に、前記２値化コードを記録し、
前記第１のフォーマットに則した再生を行う第２の光ディスク装置は、
前記第２のフォーマットに則して記録された前記光ディスクを判別する場合、当該光ディスクの前記未設定領域に前記２値化コードが記録されているか否かを判定し、
前記２値化コードが記録されていた場合、当該光ディスクが前記第１のフォーマットに則して記録されていない状態にあることを判別すること、
を特徴とする光ディスク判別方法。
【請求項５】
前記第１のフォーマットに則して記録されていない状態は、前記第２のフォーマットに則して記録された状態であることを特徴とする請求項４に記載の光ディスク判別方法。
【請求項６】
前記第１のフォーマットに基づく前記光ディスクは、前記データ領域の内周側において、
前記光ディスクへ出射するレーザーの出力調整用のテスト信号が記録されるテスト領域及び前記テスト領域の外周側に設けられるとともに前記テスト信号の記録回数が記録されるカウント領域を有するパワーキャリブレーション領域と、
前記パワーキャリブレーション領域の外周側に設けられるとともに前記光ディスクへの記録／再生の状態を示す情報が記憶されるプログラムメモリ領域と、を設けており、
前記第２の光ディスク装置は、
前記第２のフォーマットに則して記録された前記光ディスクの再生を開始する場合、
当該光ディスクの前記カウント領域をアクセスした後、
当該光ディスクの前記未設定領域に前記２値化コードが記録されているか否かを判定すること、
を特徴とする請求項４または５に記載の光ディスク判別方法。
【発明の詳細な説明】
【技術分野】
【０００１】
本発明は、光ディスク装置、光ディスク判別方法に関する。
【背景技術】
【０００２】
レーザー光を利用して情報の記録・再生可能な光ディスクの規格の一つとして、データ追記型（Write Once）のＣＤ−Ｒや、書き換え可能型(ReWritable)のＣＤ−ＲＷなどのＣＤ（Compact Disk）規格がある。近年、ＣＤ−Ｒ及びＣＤ−ＲＷディスクについては、低価格化と併せて普及率が拡大しており、広く一般化されている。
【０００３】
記録・再生が可能なＣＤ規格のディスクフォーマットに則した光ディスク（ＣＤメディア）では、記録トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Absolute time In Pregroove）アドレスを取得できる。ＡＴＩＰアドレスは、ＣＤ規格のデータフォーマット（データ構造）に則してデータの記録・再生を行う光ディスク装置において、ＣＤメディア上でのデータの記録及び再生位置を管理するための管理情報として利用される。
【０００４】
ところで、ＣＤ−Ｒ及びＣＤ−ＲＷディスクの記録容量は、標準で６５０Ｍバイトや７００Ｍバイト程度である。近年、ビデオ録画の用途などで、光ディスク媒体に対してさらなる大容量記録を求めるニーズが高いため、ＣＤ−Ｒ及びＣＤ−ＲＷディスクなどのＣＤメディアの標準の記録容量ではこうしたニーズに対応できない。
【０００５】
そこで、ＣＤメディアに対して、ＤＶＤ（Digital Versatile Disk）規格といったＣＤ規格よりもフォーマット効率が高いデータフォーマット（データ構造）を用いて記録及び再生を行う高密度記録モードをサポートする光ディスク装置が提案されている（以下、従来の光ディスク装置と称する）。例えば、ＤＶＤ規格のデータフォーマットでは、光ディスク（ＤＶＤメディア）上に設定されたセクタのヘッダー部に、当該セクタを識別するためのＩＤ（Identification Data）情報が記録されることになる。
【０００６】
従来の光ディスク装置は、当該ＩＤ情報に対応づけられた高密度記録用アドレスを利用することで、光ディスク（ＣＤメディア）への高密度記録を行っていた(例えば、以下に示す特許文献１参照)。
【特許文献１】特開２００２−５６６１７号公報
【発明の開示】
【発明が解決しようとする課題】
【０００７】
ところで、従来の光ディスク装置では、ＣＤメディアに対して、ＣＤ規格のフォーマットで記録を行う場合（標準記録モード）と、ＤＶＤ規格のフォーマットで記録を行う場合（高密度記録モード）が考えられ、この結果、同一のＣＤメディアであるにも関わらず、標準記録モードによって記録されたＣＤメディアと、高密度記録モードによって記録されたＣＤメディアの２種類存在することになる。よって、従来の光ディスク装置は、他のＣＤプレイヤーなどの光ディスク装置において、これら２種類のＣＤメディアが正確に判別されるように予め対策を講じておく必要がある。
【０００８】
そこで、従来の光ディスク装置は、例えば、高密度記録モードによってＣＤメディアの記録を行う場合、高密度記録モードで記録されたことを示す識別データを記録することが考えられる。この場合、前述した識別データは、ＤＶＤ規格のフォーマットで記録されているので、他の光ディスク装置が、高密度記録モードで記録されたＣＤメディアを再生するときには、前述した識別データの読み出しを行うために、ＤＶＤ規格のフォーマットで記録されたデータをデコードするための高密度記録モード用デコーダ（ＤＶＤ専用デコーダ）を備えておく必要がある。
【０００９】
よって、高密度記録モード用デコーダを備えていない他の光ディスク装置は、高密度記録モードによって記録されたＣＤメディアを正しく判別することができない。この場合、ＣＤメディアが高密度記録モードによって正常に記録されていたにも関わらず、ディスクエラーとして判定されることがあり、最悪の場合、ユーザーが誤って当該ＣＤメディアに記録された内容を消去してしまう可能性がある。
【００１０】
したがって、高密度記録モードによって記録されたＣＤメディアを他の光ディスク装置において正確に判別させるためには高密度記録モード用デコーダを備えておく必要があるが、標準記録モード用デコーダ（ＣＤ専用デコーダ）を備える他の光ディスク装置において、高密度記録モード用デコーダを別途組み込むことは、製造コストや装置規模の増大化につながるという問題が生じる。
【００１１】
本発明は、既存の仕組みに与える影響を少なくして高密度記録モードで記録された光ディスクの判別を行うことを可能とする光ディスク装置、光ディスクの判別方法を提供することを目的とする。
【課題を解決するための手段】
【００１２】
前記課題を解決するための主たる本発明は、光ディスクの記録／再生規格として定められた第１のフォーマットよりも記録密度が高い第２のフォーマットに則して記録／再生を行う光ディスク装置において、前記光ディスクが前記第２のフォーマットに則して記録された状態にあることを示す２値化コードを予め設定しておき、前記光ディスクに前記第２のフォーマットに則して記録を行う場合、前記第１のフォーマットに基づいて設定される前記光ディスクのデータ領域より内周側にある未設定領域に、前記２値化コードを記録する制御手段を備えたことを特徴とする。
【００１３】
本発明の他の特徴については、添付図面及び本明細書の記載により明らかにする。
【発明の効果】
【００１４】
本発明によれば、既存の仕組みに与える影響を少なくして、高密度記録のデータフォーマットで記録された光ディスクの判別を行うことが可能となる。
【発明を実施するための最良の形態】
【００１５】
＝＝＝実施例＝＝＝
以下、本発明の実施の形態を図面に基づいて具体的に説明する。
【００１６】
＜光ディスク装置構成＞
本発明の一実施形態である光ディスク装置１００の概略構成を、図１を用いて説明する。  ここで、図１に示す光ディスク装置１００は、既存のＣＤ規格のディスクフォーマットに則した光ディスク（ＣＤメディア）２００に対して、ＣＤ規格のデータフォーマット（『第１のフォーマット』）を用いてデータの記録及び再生を行う標準記録モードと、ＣＤ規格と比較してフォーマット効率の高い、すなわち、誤り訂正符号など記録データに付加する冗長データのサイズが小さい（冗長度が低い）ＤＶＤ規格などのデータフォーマット（『第２のフォーマット』）を用いてデータの記録及び再生を行う高密度記録モードのいずれか一方を選択して実行する仕組みを兼ね備えている。
【００１７】
まず、光ディスク（ＣＤメディア）２００では、記録トラックを形成するプリグルーブ（案内溝）が、絶対時間情報などによりＦＭ変調された波形に則してウォブリング（蛇行）している。このプリグルーブからウォブリングの周波数を復調することによって、絶対時間情報であるＡＴＩＰ（Absolute Time In Pregroove）アドレスを取得することができる。
【００１８】
光ディスク装置１００は、同図に示すとおり、光学ヘッド１、フロントエンド処理部２、光学ヘッドサーボ回路３、ＲＦ信号２値化処理部４、ＷＢＬ検出部５、ＡＴＩＰデコーダ６、ＰＳＮデコーダ７、ＰＬＬ回路８、高密度記録モード用デコーダ９、標準記録モード用デコーダ１０、高密度記録モード用エンコーダ１１、標準記録モード用エンコーダ１２、インタフェース部１３、ＲＡＭ１４、システム制御マイコン（『制御手段』）１５、レーザー出力制御回路１６、レーザー駆動回路１７、スピンドルモーター１８、モーター駆動回路１９、モーター制御回路２０を有する。
【００１９】
光学ヘッド１は、対物レンズ（不図示）と、この対物レンズを介して光ディスク２００に対してレーザー光を出射するレーザー素子１ａと、光ディスク２００からの反射光を受光する受光素子（不図示）などが組み込まれている。また、光学ヘッド１には、光学ヘッド１を記録・再生対象の記録トラックに移動させるためのスライド機構、光ディスク２００に出射したレーザー光を記録・再生対象の記録トラックに追従させる制御（トラッキング制御）を行うためのトラッキング機構、光ディスク２００に出射したレーザー光の焦点ずれを補正する制御（フォーカス制御）を行うためのフォーカス機構、などが組み込まれている（いずれも不図示）。
【００２０】
フロントエンド処理部２は、マトリクス演算回路や増幅回路や波形整形回路（イコライザ）などで構成されるＲＦアンプ、３ビーム法、プッシュプル法やＤＰＤ（Differential Phase Detection）法などに基づいたトラッキング誤差信号生成回路、非点収差法やフーコー法などに基づいたフォーカス誤差信号生成回路などを備える（いずれも不図示）。
【００２１】
ＲＦアンプは、光学ヘッド１の受光素子（不図示）にて受光光量に応じて生成された電気信号に基づいて、記録・再生対象の記録トラック上にあるピットの有無を識別するためのＲＦ信号を生成する。また、ＲＦ信号は、ＡＴＩＰアドレスを取得するためのウォブリング周波数成分を含んでいる。さらに、光ディスク２００が予め高密度記録されている場合には、ＲＦ信号は、後述のＩＤ情報も含むことになる。
【００２２】
トラッキング誤差信号生成回路は、前述のＲＦアンプと同様に、光学ヘッド１の当該受光素子（不図示）にて受光光量に応じて生成された電気信号に基づいて、光学ヘッド１のトラッキング制御機構をサーボ制御するためのトラッキング誤差信号を生成する。また、フォーカス誤差信号生成回路も同様に、前述の受光素子（不図示）の電気信号に基づいて、光学ヘッド１のフォーカス制御機構をサーボ制御するためフォーカス誤差信号を生成する。
【００２３】
光学ヘッドサーボ回路３は、フロントエンド処理部２にて生成された各種誤差信号（トラッキング誤差信号やフォーカス誤差信号等）に基づいて、光学ヘッド１に組み込まれたサーボ機構（トラッキングサーボ機構やフォーカスサーボ機構等）を駆動するためのサーボ制御信号を生成する。そして、そのサーボ制御信号に基づいてサーボ機構の駆動をサーボ制御する。
【００２４】
ＲＦ信号２値化処理部４は、フロントエンド処理部２のＲＦアンプから出力されたＲＦ信号を受信して当該ＲＦ信号を２値化するための処理を行う。例えば、コンパレータなどによって構成できる。なお、ＲＦ信号２値化処理部４は、２値化ＲＦ信号をシステム制御マイコン１５に対して送信する。
【００２５】
ＷＢＬ検出部５は、ＢＰＦ（Band Pass Filter）回路やコンパレータ等によって構成される。ＢＰＦ回路は、フロントエンド処理部２にて生成されたＲＦ信号を受信してウォブリング周波数成分（中心周波数２２．０５ｋＨｚ）を抽出する。コンパレータは、前述のウォブリング周波数成分と基準電圧との比較によって２値化ＷＢＬ（Wobble）信号を生成し、ＡＴＩＰデコーダ６やモーター制御回路２０に送信する。
【００２６】
ＡＴＩＰデコーダ６は、ＷＢＬ検出部５から受信した１ＡＴＩＰ区間あたりのＷＢＬ信号をデコードしてＡＴＩＰアドレスを生成する。なお、１ＡＴＩＰ区間あたりのＷＢＬ信号には、同期検出用のパターン、製造メーカーやディスク種別など当該光ディスク２００を個別に識別するための識別情報、ＡＴＩＰアドレス等を含めたウォブリング情報、当該ウォブリング情報のビット誤りを検出するためのＣＲＣデータなどを含んでいる（図２参照）。
【００２７】
また、ＡＴＩＰデコーダ６は、ＣＲＣチェック回路６ａを有している。ＣＲＣチェック回路６ａは、１ＡＴＩＰ区間あたりのＷＢＬ信号からＡＴＩＰアドレスが正常にデコードしたか否かを識別するために、前述のＣＲＣデータに基づいてＣＲＣチェックを行う。なお、ＡＴＩＰアドレスのデコード結果の検査方式としては、ＣＲＣチェック方式に限定されるものではなく、例えば、パリティビットを用いたパリティチェック方式やＥＣＣ（Error Correcting Code）を用いたＥＣＣチェック方式を採用してもよい。
【００２８】
ＰＳＮデコーダ７は、光ディスク２００が未記録状態である場合、ＡＴＩＰデコーダ６にてデコードしたＡＴＩＰアドレスを受信して高密度記録用アドレスとしてのＰＳＮアドレスに変換する。一方、光ディスク２００が高密度記録された状態にある場合、ＰＳＮデコーダ７は、フロントエンド処理部２からＲＦ信号に含まれるＩＤ（Identification Data）情報を受信してＰＳＮアドレスに変換する。なお、ＩＤ情報とは、光ディスク装置１００が、記録トラック上でＰＳＮアドレスによって論理的に区分された各区分領域を識別するための情報であり、記録データ及びパリティビットと併せて光ディスク２００に記録されている（図３参照）。
【００２９】
ＰＬＬ回路８は、位相比較器、チャージポンプ、ＬＰＦ、ＶＣＯ、分周回路などを備える。この構成において、ＰＬＬ回路８は、ＷＢＬ検出部５から受信したＷＢＬ信号に基づいて、標準記録モード又は高密度記録モードでのデータ再生時におけるデコード処理のために、タイミング信号として用いられるクロック信号を生成する。
【００３０】
高密度記録モード用デコーダ９は、高密度記録モードによる再生を行う場合に、ＤＶＤ規格のデータフォーマットに対応したデコード処理を行う。なお、ＤＶＤ規格のデータフォーマットでは、変調コードとしてＥＦＭ−ｐｌｕｓ（８／１６変調）、誤り訂正符号としてＲＳ−ＰｒｏｄｕｃｔＣｏｄｅを採用している。そこで、高密度記録モード用デコーダ９は、ＰＬＬ回路８にて生成されたクロック信号及びフロントエンド処理部２にて検出されたＲＦ信号に基づいて、前述の変調コード及び誤り訂正符号に基づいたデコード処理を行う。
【００３１】
標準記録モード用デコーダ１０は、標準記録モードによる再生を行う場合に、ＣＤ規格のデータフォーマットに対応したデコード処理を行う。なお、ＣＤ規格のデータフォーマットでは、変調コードとしてＥＦＭ（８／１４変調）、誤り訂正符号としてＣＩＲＣを採用している。そこで、標準記録モード用デコーダ１０は、ＰＬＬ回路８にて生成されたクロック信号及びフロントエンド処理部２にて検出されたＲＦ信号に基づいて、前述の変調コード及び誤り訂正符号に基づいたデコード処理を行う。
【００３２】
高密度記録モード用エンコーダ１１は、パソコン等の情報処理装置（不図示）からインタフェース部１４を介して入力される記録データに関して、ＤＶＤ規格のデータフォーマットに対応したエンコード処理を行う。このエンコード処理としては、記録・再生時の誤り訂正単位である１ＥＣＣブロックを構成するための処理や、ＥＦＭ−ｐｌｕｓ変調処理及びスクランブル処理などが該当し、これらの処理が施された後の記録用変調信号をレーザー出力制御回路１６に送信する。
【００３３】
標準記録モード用エンコーダ１２は、パソコン等の情報処理装置（不図示）からインタフェース部１４を介して入力される記録データに関して、ＣＤ規格のデータフォーマットに対応したエンコード処理を行う。このエンコード処理としては、記録・再生時の誤り訂正単位であるＣＩＲＣ符号化処理や、ＥＦＭ変調処理及びスクランブル処理などが該当し、これらの処理が施された後の記録用変調信号をレーザー出力制御回路１６に送信する。
【００３４】
インタフェース部１３は、光ディスク装置１００とパソコン等の情報処理装置（不図示）などとの間における記録・再生データの送受信を制御する。  
ＲＡＭ１４は、当該情報処理装置（不図示）からインタフェース部１３を介して再生要求を受信した場合に、高密度記録モード用デコーダ９においてデコード処理中の中間データやデコード処理後の再生データを一時記憶する。この一時記憶された再生データは、インタフェース部１３を介して当該情報処理装置（不図示）に送信される。  
また、ＲＡＭ１４は、当該情報処理装置（不図示）からインタフェース部１３を介して受信した記録データを一時記憶する。この一時記憶された記録データは、高密度記録モード用エンコーダ１１でのエンコード処理の際にアクセスされる。
【００３５】
システム制御マイコン（『制御手段』）１５は、光ディスク２００の記録及び再生に係る光ディスク装置１００全般のシステム制御を司る。例えば、システム制御マイコン１５は、当該情報処理装置（不図示）から標準記録モード又は高密度記録モードのいずれか一方が指定されるとともに、ＰＳＮアドレスを含めた記録要求コマンドを受信した場合には、当該ＰＳＮアドレスに対応づけられた記録領域への記録データに対して指定された記録モードに応じたエンコード処理を実行すべく制御を行う。同様に、システム制御マイコン１５は、当該情報処理装置（不図示）から標準記録モード又は高密度記録モードのいずれか一方を指定されてＰＳＮアドレスを含めた再生要求コマンドを受信した場合には、当該ＰＳＮアドレスに対応づけられた記録領域から再生されたデータに対して指定された記録モードに応じたデコード処理を実行すべく制御を行う。
【００３６】
また、システム制御マイコン１５は、特に、ディスク判別処理部１５ａの機能をファームウェア（プログラム）又はハードウェアによって実現する。  
ディスク判別処理部１５ａは、ＡＴＩＰデコーダ６から受信する光ディスク２００の識別情報に基づいて、当該光ディスク２００の製造メーカーやディスク種別などを判別する。なお、光ディスク装置１００は、同一ディスク上で異なる記録モード（データフォーマット）による記録データが混在することを禁止している。そこで、ディスク判別処理部１５ａは、光ディスク２００が既に記録された状態にある場合、標準記録モード又は高密度記録モードのいずれか一方のモードで記録されたかについてのモード判別を行う。この判別方法については、例えば、ＰＬＬ回路８で生成されたクロック信号に基づいて１ＡＴＩＰ区間について記録されているデータサイズを計測し、この計測したデータサイズに基づいてモード判別を行う。
【００３７】
レーザー出力制御回路１６は、高密度記録モード用エンコーダ１１又は標準記録モード用エンコーダ１２から受信した記録用変調信号に基づいて、レーザー素子１ａをレーザー発光駆動するためのパルス信号を生成してレーザー駆動回路１７に送信する。また、レーザー出力制御回路１６は、システム制御マイコン１５による制御下で、レーザー素子１ａから出射されるレーザー光の最適記録パワー値を設定するためのＯＰＣを実行する。
【００３８】
レーザー駆動回路１７は、レーザー出力制御回路１６から受信したパルス信号に基づいて、レーザー素子１ａを記録時においてレーザー発光駆動する。これによって、レーザー素子１ａからレーザー光が出射され、高密度記録モード用エンコーダ１１又は標準記録モード用エンコーダ１２出力の記録用変調信号に応じたピットが光ディスクの記録トラックに形成されることになる。
【００３９】
スピンドルモーター１８は、光ディスク２００を回転駆動するモーターであり、モーター駆動回路１９は、スピンドルモーター１８を回転駆動するための回路である。モーター制御回路２０は、ＷＢＬ検出部５から受信したＷＢＬ信号に基づくウォブリング周波数の情報を用いて、ＣＤ規格による線速度一定方式にてスピンドルモーター１８の回転駆動制御を行うための回路である。あるいは、スピンドルモーター１８の回転に応じて発生するパルス信号を用いて、角速度一定方式にてスピンドルモーター１８の回転駆動制御を行ってもよい。
【００４０】
以上が、光ディスク装置１００の主な構成要素の概要である。なお、光ディスク装置１００は、高密度記録モードのみによる記録／再生を行う仕組みを備えるようにしてもよく、例えば、標準記録モード用デコーダ１０及び標準記録モード用エンコーダ１２を備えてなくてもよい。
【００４１】
＜データフォーマット＞
＝＝＝  標準記録モードの場合  ＝＝＝
まず、図２を用いて、標準記録モードの場合に採用されるデータフォーマット（データ構造）について説明する。同図に示すとおり、光ディスク２００に記録されるデータの最小単位は、ＣＤ規格のＥＦＭ（８／１４変調）変調方式に基づいた１ＥＦＭフレームとなる。そして、９８ＥＦＭフレームにて５８８ビットの１フレームが構成される。また、この１フレームによって、"Ｐ，Ｑ，Ｒ，…，Ｗ"からなる１サブコーディングフレーム（トラック番号、インデックス情報、絶対・相対アドレス等を含む）が生成される。
【００４２】
また、光ディスク２００の内周部の記録トラックから外周部の記録トラックに向かって、記録トラックのウォブリング情報に対応づけられた絶対アドレスが付与されている。この絶対アドレスは、絶対時間情報としてのＡＴＩＰアドレスに該当する。ＡＴＩＰアドレスは、通常、２４ビットのデータで構成され、上位８ビットは「分（minute）」を示し、続く８ビットは「秒（second）」を示し、下位８ビットは「フレーム」を示す。
【００４３】
また、１秒間あたりのフレーム数は"７５"である。ここで、"１／７５"秒間に相当するＡＴＩＰアドレスによって設定される記録領域（以下、１ＡＴＩＰ区間と称する。）は、光ディスク装置１００において記録・再生単位として扱う１セクタとなる。この１セクタ分の記録領域は、通常、２ｋバイトで構成され、前述したようにシンクパターン、判別子、ウォブリング情報、ＣＲＣデータなどが記録される。
【００４４】
＝＝＝  高密度記録モードの場合  ＝＝＝
つぎに、図３を用いて、高密度記録モードの場合に採用されるデータフォーマット（データ構造）について説明する。高密度記録モードでは、標準記録モードと比較して例えば２．０倍の記録密度を実現するよう規定される。このため、高密度記録モードの場合に採用されるデータフォーマットとしては、前述の１ＡＴＩＰ区間に対して、２セクタ分、すなわち４ｋバイトのデータを記録することになる。なお、１セクタ分の記録領域には、同図に示すとおり、ＩＤ情報、記録データ及びパリティビットが記録される。
【００４５】
また、高密度記録モードのデータフォーマットでは、ＤＶＤ規格に則した変調・復調方式を採用しているため、リードソロモン符号による誤り訂正を行う単位である１ＥＣＣ(Error Correction Code)ブロック単位での記録・再生が行われる。なお、１ＥＣＣブロックは１６セクタ分（３２ｋバイト）のデータとして規定されており、例えば８ＡＴＩＰ区間に相当する記録領域に記録される。
【００４６】
＜ディスクフォーマット＞
＝＝＝  標準記録モードの場合  ＝＝＝
まず、標準記録モードの場合に採用される光ディスク（ＣＤメディア）２００のディスクフォーマットについて図４を用いて説明する。  
標準記録モードの場合のディスクフォーマット４００では、光ディスク２００の内周側から外周側に対して、ＰＣＡ（Power Calibration Area）４００ａ、ＰＭＡ（Program Memory Area）４００ｂ、リードインエリア４００ｃ、プリギャップエリア４００ｄ、データエリア４００ｅ及びリードアウトエリア４００ｆが設けられている。
【００４７】
ＰＣＡ４００ａは、実記録に先立って、記録速度や光ディスク２００の種別に応じたレーザー素子１ａの最適な記録パワー値を設定するために予約された記録領域である。なお、ＰＣＡ４００ａは、光ディスクへ出射するレーザー出力を調整するテスト信号が記録されるテストエリア４００ｇと、テストエリアの外周側に設けられテスト信号の記録回数が記録されるカウントエリア４００ｈに区分される。  
ＰＭＡ４００ｂは、記録済み又は予約済みトラックの開始及び終了アドレスや記録種別（Write Type）などの管理データＰＭＤを記憶している。なお、管理データＰＭＤは、サブコーディングフレームにおけるサブコードデータとして記録されている。  
リードインエリア４００ｃは、ＣＤ規格（標準記録モード）のデータ単位であるセッションの先頭に存在する各セッションの情報を記録する領域である。また、リードインエリア４００ｃ内にはＴＯＣ（Table Of Contents）エリアが設定されており、光ディスク２００を終了化する（セッションをクローズする）際にはＰＭＡ４００ｂ内の管理データＰＭＤが当該ＴＯＣエリアに記録される。  
プリギャップエリア４００ｄは、各トラックの間隔（ギャップ）を設定した領域であり、データエリア４００ｅは、データの記録及び再生が実際に行われるユーザー利用可能領域である。また、リードアウトエリア４００ｆは、各セッションの終了を示すための領域である。
【００４８】
＝＝＝  高密度記録モードの場合  ＝＝＝
つぎに、高密度記録モードの場合に採用される光ディスク（ＣＤメディア）２００のディスクフォーマットについて図４を用いて説明する。  
高密度記録モードの場合の光ディスク２００のディスクフォーマット４１０では、光ディスク２００の内周側から外周側に対して、フォーマットエリア４１０ａ、ＰＣＡ（『パワーキャリブレーション領域』）４１０ｂ、ＰＭＡ（『プログラムメモリ領域』）４１０ｃ、データエリア（『データ領域』）４１０ｄ及びリードアウトエリア４１０ｅが設けられている。なお、フォーマットエリア４１０ａとＰＣＡ４１０ｂの配置順序を逆にする場合も考えられる。
【００４９】
高密度記録モードのディスクフォーマット４１０は、標準記録モードのディスクフォーマット４００と比較すると、フォーマットエリア４１０ａがＰＣＡ４００ａに、ＰＣＡ４１０ｂがＰＭＡ４００ｂに、ＰＭＡ４１０ｃがリードインエリア４００ｃにそれぞれ設定されている。また、データエリア４１０ｄは、プリギャップエリア４００ｄから開始されており、リードアウトエリア４１０ｅの直前まで設定されている。
【００５０】
なお、フォーマットエリア４１０ａは、高密度記録モードにおいて光ディスク２００のフォーマット処理が実行された場合に、所定のデータが記録される領域である。なお、所定のデータとしては、標準記録モードのＰＣＡ４００ａに記録するデータとは無関係なデータ（例えば、全て"０"）としてもよいし、製造者識別ＩＤ、製造型番及び高密度記録モードのディスクフォーマットを示す２値化コードなどの当該光ディスク２００を識別するための識別データを記録してもよい。  
また、ＰＭＡ４１０ｃは、ＴＯＣエリアとしても利用される。すなわち、ＰＭＡ４１０ｃには標準記録モードの場合と同様に管理データＰＭＤが記録されることになり、光ディスク２００を終了化する（セッションをクローズする）際には当該管理データＰＭＤがＴＯＣとして利用される。
【００５１】
以上の構成により、高密度記録モードのディスクフォーマット４１０は、標準記録モードのディスクフォーマット４００と比較すると、プリギャップエリア４００ｄの省略などによって高密度記録を可能としている。
【００５２】
＜ＡＴＩＰアドレスとＰＳＮアドレスの関係＞
＝＝＝  ＡＴＩＰアドレス  ＝＝＝
ＡＴＩＰアドレスについて詳細に説明する。
【００５３】
図５には、光ディスク装置１００が、光ディスク２００のプリグルーブの物理的なウォブリング情報をデコードして得られるＡＴＩＰアドレスの設定情報が示されている。このＡＴＩＰアドレスは、光ディスク２００の記録トラックに付与された物理アドレスとしての一面と、光ディスク装置１００が光ディスク２００への記録又は再生の制御するために用いる論理アドレスとしての一面がある。
【００５４】
データエリアの最内周側に相当するＡＴＩＰアドレスは、"００（分）：００（秒）：００（フレーム）"である。そして、このデータエリアの最内周側から外周側に向かっての記録領域（以下、外周側記録領域と称する。）では、"１秒間＝７５フレーム"の換算にて、"００（分）：００（秒）：００（フレーム）"を１フレーム単位で単純増加していったＡＴＩＰアドレスが付与される。
【００５５】
一方、"００（分）：００（秒）：００（フレーム）"よりも内周側の記録領域（以下、内周側記録領域と称する。）は、ＰＣＡやＰＭＡなどユーザーが使用不可能な予約領域である。この内周側記録領域においても、外周側記録領域と同様に、"１秒間＝７５フレーム"の換算で１フレーム単位でＡＴＩＰアドレスが付与される。
【００５６】
＝＝＝  ＰＳＮアドレス  ＝＝＝
ＰＳＮアドレスについて詳細に説明する。  
図５には、光ディスク装置１００が、光ディスク２００への記録又は再生を高密度記録モードにて行う場合において、論理アドレスとして用いるＰＳＮアドレスの設定情報が示されている。
【００５７】
ここで、ＰＳＮアドレスとは、当該ＡＴＩＰアドレスとしての絶対アドレスを"ｘ"とする場合に、"ｙ＝ｎ×（ｘ−ｍ）＋ｍ"によって算出される高密度記録用アドレス（ｙ）を示す。ここで、"ｎ"は記録密度についての倍率（標準記録モードの倍率を１とする）であり、２．０倍の記録密度であれば"ｎ＝２．０"である。また、"ｍ"は基準アドレスである。
【００５８】
すなわち、ＰＳＮアドレスは、絶対アドレス"ｘ"に基づいた単位時間（"１／７５"秒間）に相当する記録領域（１ＡＴＩＰ区間）を、記録密度についての倍率（ｎ）によって区分するという高密度記録モードのデータフォーマットに従って、１ＡＴＩＰ区間の論理的な区分領域に付与されることになる。このＰＳＮアドレスを用いた高密度記録モードによる記録によって、１ＡＴＩＰ区間にはｎ倍のデータが記録され、その結果、光ディスク２００の記録密度はｎ倍となる。
【００５９】
なお、本発明では、記録密度の倍率（ｎ）を"２"とし、データエリアの最内周側のＰＳＮアドレス（ｍ）を"３００００Ｈ（Hexadecimal ：１６進）"とする。この場合、外周側記録領域のＡＴＩＰアドレスに対応づけられるＰＳＮアドレス（ｙ）は、"ｙ＝２×（ｘ（１６進）−３００００Ｈ）＋３００００Ｈ"として算出される。例えば、"００（分）：００（秒）：０１（フレーム）"のＡＴＩＰアドレスに対応するＰＳＮアドレスは、"３０００２Ｈ＝２×（３０００１Ｈ−３００００Ｈ）＋３００００Ｈ"である。
【００６０】
このように、ＡＴＩＰアドレスとＰＳＮアドレスは相互に対応づけられており、光ディスク装置１００は、高密度記録モードによる光ディスク２００へのアクセス制御において、ＰＳＮアドレスに限らずＡＴＩＰアドレスを用いることが可能である。
【００６１】
＜特定ＰＩＴパターン＞
次に、図６及び図７を用いて、本発明に係る特定ＰＩＴパターン（『２値化コード』）について説明する。なお、特定ＰＩＴパターンとは、光ディスク２００が高密度記録モードで記録された状態にあることを他の光ディスク装置に対して判別させるための２値化コードとする。以下の説明において、光ディスク２００をＣＤメディアとした場合、標準記録モードをＣＤ規格のデータフォーマットにより記録／再生を行う場合、高密度記録モードをＤＶＤ規格のデータフォーマットにより記録／再生を行う場合とする。
【００６２】
図６には、ＣＤ規格のディスクフォーマットとして、データエリア４００ｅ（図４参照）より内周側にある各領域の詳細な構成を示す。  
図６に示すように、光ディスク２００の内周側から外周側に対して、ＰＣＡ４００ａ、ＰＭＡ４００ｂ、リードインエリア４００ｃが設けられる。また、同図に示すように、リードインエリア４００ｃの最内周側のＡＴＩＰアドレスを００：００：００とし、リードインエリア４００ｃより内周側の領域は００：００：００を基準として、マイナスのＡＴＩＰアドレスが付与される。
【００６３】
ＰＣＡ４００ａは、テストエリア４００ｇと、カウントエリア４００ｈに区分される。なお、テストエリア４００ｇは  ”−００：３５：３５”から”−００：１５：３５”までの間の１５００フレームであり、カウントエリア４００ｈは、”−００：１５：０５”から”−００：１３：５５”の１００フレームである。  
ＰＭＡ４００ｂは、”−００：１３：２５”から”−００：１２：５０”までの間の５０フレームについて、光ディスク２００への記録／再生の状態を示す情報（管理データＰＭＤ）を実際に記録する領域４００ｉとして設定しており、ＰＣＡ４００ａの外周側に設けられる。
【００６４】
テストエリア４００ｇ、カウントエリア４００ｈ、記録領域４００ｉの各領域間には、ＣＤ規格のディスクフォーマットにおいて未設定の領域が存在する（『未設定領域』）。これらの未設定の領域のことを便宜上、光ディスク２００の内周側からそれぞれエリアＤ（最内周〜テストエリア４００ｇ）、エリアＣ（テストエリア４００ｇ〜カウントエリア４００ｈ）、エリアＡ（カウントエリア４００ｈ〜記録領域４００ｉ）、エリアＢ（記録領域４００ｉ〜リードインエリア４００ｃ）と呼ぶことにする。
【００６５】
ところで、一般的な光ディスク装置は、ＣＤプレイヤーのディスク装着時において、カウントエリア４００ｈを必ずアクセスしにいくことになる。そこで、本実施の形態では、特定ＰＩＴパターンの記録領域として、カウントエリア４００ｈに近傍に位置するエリアＡを採用した。ここで、エリアＡは、記録領域４００ｉとカウントエリア４００ｈとの間の領域で、”−００：１３：２５”から”−００：１３：５５”までの３０フレームである。光ディスク装置１００は、光ディスク２００にＤＶＤ規格のデータフォーマットに則して記録を行う場合、システム制御マイコン１５の制御によって、エリアＡに特定ＰＩＴパターンを記録することとする。なお、特定ＰＩＴパターンを記録する領域については、エリアＡ以外のＣＤ規格のディスクフォーマットで使用されていない未設定領域としてもよい。例えば、同図に示す、エリアＢ、エリアＣ、エリアＤの何れかを特定ＰＩＴパターンを記録する領域として採用してもよい。
【００６６】
特定ＰＩＴパターンの一例としては、図７に示すように、３０フレームの最初の８フレームにおいて、フレーム３、４及びフレーム７、８をＰＩＴ有り（論理値“１”）、フレーム１、２及びフレーム５、６をＰＩＴ無し（論理値“０”）とする。なお、同図に示す特定ＰＩＴパターンに限定されないのは勿論のことである。
【００６７】
ここで、ＣＤプレイヤーなどの他の光ディスク装置が、光ディスク２００の再生を開始する場合、まずＰＣＡ４００ａのテストエリア４００ｇの使用状態を調査すべくカウントエリア４００ｈをアクセスし、その後、エリアＡに特定ＰＩＴパターンが記録されているか否かを判定する。そして、エリアＡに特定ＰＩＴパターンが記録されていたとき、光ディスク２００がＤＶＤ規格のデータフォーマットで記録されたものであると判別する。なお、特定ＰＩＴパターンは、“０”または“１”の単純な２値化データ列であるので、ＤＶＤ規格の専用デコーダを備えていない光ディスク装置においても検出可能である。
【００６８】
＜ディスク判別における動作＞
＝＝＝  ＰＩＴパターン記録  ＝＝＝
図８に、特定ＰＩＴパターン記録の動作を説明するためのフローチャートを示す。なお特定ＰＩＴパターンが記録されるのはＤＶＤ規格のデータフォーマットの場合あるので、特定ＰＩＴパターンはＤＶＤ規格のエンコーダを持つ光ディスク装置１００にて記録される。まず光ディスク２００が、光ディスク装置１００に装着され、記録用ＣＤであるか否かの判別を行う（Ｓ８００）。記録用ＣＤでない場合（Ｓ８００：ＮＯ）には、光ディスク装置１００は、光ディスク２００を再生専用ＣＤであると判別し、特定ＰＩＴパターンの記録を行わない（Ｓ８０１）。
【００６９】
光ディスク装置１００が、光ディスク２００を記録用ＣＤであると判別した場合（Ｓ８００：ＹＥＳ）には、光ディスク２００がブランクディスクであるか否かの判別を行う（Ｓ８０２）。光ディスク装置１００が、光ディスク２００をブランクディスクでないと判別した場合（Ｓ８０２：ＮＯ）には、特定ＰＩＴパターンの記録を行わない（Ｓ８０３）。これはＣＤ規格のデータフォーマットですでに記録がある場合にはＤＶＤ規格のデータフォーマットを行うことができず、またＤＶＤ規格のデータフォーマットですでに記録されている場合には新たに特定ＰＩＴパターンの記録の必要がないためである。
【００７０】
光ディスク装置１００が、光ディスク２００をブランクディスクで有ると判別した場合（Ｓ８０２：ＹＥＳ）には、ＤＶＤフォーマット処理（Ｓ８０４）及び記録パワー調整のためのテスト記録であるＯＰＣの実行（Ｓ８０５）を行う。そして光ディスク装置１００は、ＯＰＣ処理直後に、光ディスク２００のエリアＡに２値化データ列である特定ＰＩＴパターンの記録を行う（Ｓ８０６）。
【００７１】
＝＝＝  ＰＩＴパターン検出  ＝＝＝
次に、図９に特定ＰＩＴパターンの読み出しの動作を説明するためのフローチャートを示す。なお、このＰＩＴパターンの読み出しはＤＶＤ規格の専用デコーダを備えていない他の光ディスク装置にて行う。まず記録済みの光ディスク２００がＣＤ規格専用のデコーダを持つ光ディスク装置（不図示）に装着され、ＣＤ−Ｒ／ＲＷなどのＣＤメディアであると判別される（Ｓ９００）。
【００７２】
そして、光ディスク装置（不図示）は、光学ヘッド１に組み込まれたサーボ機構（トラッキングサーボ機構やフォーカスサーボ機構等）を調整するサーボ調整を行った後（Ｓ９０１）、ＰＣＡ４００ａのテストエリア４００ｇの使用状態を調査すべくカウントエリア４００ｈのＰＩＴ検出を行ない（Ｓ９０２）ＰＣＡの空き領域数を調査する。
【００７３】
次に、光ディスク装置（不図示）は、カウントエリア４００ｈの隣のエリアＡの特定ＰＩＴパターン検出を行い（Ｓ９０３）、特定ＰＩＴパターンが検出されるか否かを判別する（Ｓ９０４）。特定ＰＩＴパターンが検出されない場合（Ｓ９０４：ＮＯ）には、光ディスク２００はＣＤ規格のデータフォーマットで記録されたＣＤメディアと判別される（Ｓ９０６）。特定ＰＩＴパターンが検出された場合（Ｓ９０４：ＹＥＳ）には、光ディスク２００はＤＶＤ規格のデータフォーマットで記録されたＣＤメディアと判別される（Ｓ９０５）。
【００７４】
ＤＶＤ規格のデータフォーマットで記録されたＣＤメディアの場合、当該ＣＤメディアは、ＤＶＤ規格のデータフォーマットなので、ＣＤ規格専用のデコーダではデコードすることは不可能ではあるが、本発明を用いることによりＣＤ規格専用のデコーダを備える光ディスク装置（不図示）においてもＤＶＤ規格のデータフォーマットによって記録された光ディスク２００を判別することが可能となる。
【００７５】
例えば、ＣＤ規格専用のデコーダを備える光ディスク装置において、光ディスク２００がＣＤ規格のデータフォーマットでない場合は、ＤＶＤ規格のデータフォーマットで記録された光ディスクであることを表示することはできないが、エラーと表示したり、強制的にイジェクトすることができる。
【００７６】
また、ＣＤ規格専用のデコーダを備える光ディスク装置であっても、当該光ディスク装置に表示機能を備えるという簡単な構成を設けることで、ＤＶＤ規格でデータフォーマットされた光ディスク２００であるということをユーザーに認知させることができる。
【００７７】
以上、本発明に係る光ディスク装置及び光ディスク判別方法によれば、高密度記録モードによって記録されたＣＤメディアを、標準記録モード用デコーダ（ＣＤ専用デコーダ）を備える他の光ディスク装置で正確に判別することができる。また光ディスクを高密度記録モードによって記録する際、標準記録フォーマットで通常使用しない領域に標準記録モード用デコーダで判別可能な特定ＰＩＴパターンを記録し、読み出し時にはこの特定ＰＩＴパターンを検出することで容易にフォーマットを判別することができる。よってユーザーが誤ってＣＤメディアに記録された内容を消去してしまうことを防ぐことができる。
【００７８】
その上この領域はＣＤメディアの論理消去やマウントレーニアでも使用されないので特定ＰＩＴパターンが上書きされる事がない。  
また光ディスク２００の読み込み時に必ずアクセスを行うカウントエリア４００ｈの隣の領域であるエリアＡで特定ＰＩＴパターンの検出を行うため、光学ヘッド１の移動距離を短くでき、検出時間を短縮することができる。
【００７９】
以上、本発明の実施形態について、その実施形態に基づき具体的に説明したが、これに限定されるものではなく、その要旨を逸脱しない範囲で種々変更可能である。
【図面の簡単な説明】
【００８０】
【図１】本発明の一実施形態に係る光ディスク装置を含めたシステムの概略構成図である。
【図２】標準記録モードの場合に採用されるデータフォーマットを説明する図である。
【図３】高密度記録モードの場合に採用されるデータフォーマットを説明する図である。
【図４】標準記録モード及び高密度記録モードの場合に採用されるディスクフォーマットを説明する図である。
【図５】ＡＴＩＰアドレスとＰＳＮアドレスの関係を説明する図である。
【図６】ＣＤ規格のディスクフォーマットにおけるデータエリアの内周側にある各領域の詳細な構成を説明する図である。
【図７】ＰＩＴパターン記録の一例を説明する図である。
【図８】本発明の一実施形態に係るＰＩＴパターンの記録の動作を説明するフローチャートである。
【図９】本発明の一実施形態に係るＰＩＴパターンの読み出しの動作を説明するフローチャートである。
【符号の説明】
【００８１】
１    光学ヘッド                      １ａ  レーザー素子
２    フロントエンド処理部            ３    光学ヘッドサーボ回路
４    ＲＦ信号２値化処理部            ５    ＷＢＬ検出部
６    ＡＴＩＰデコーダ                ６ａ  ＣＲＣチェック回路
７    ＰＳＮデコーダ                  ８    ＰＬＬ回路
９    高密度記録モード用デコーダ      １０  標準記録モード用デコーダ
１１  高密度記録モード用エンコーダ    １２  標準記録モード用エンコーダ
１３  インタフェース部                １４  ＲＡＭ
１５  システム制御マイコン            １５ａ  ディスク判別処理部
１６  レーザー出力制御部              １７  レーザー駆動回路
１８  スピンドルモーター              １９  モーター駆動回路
２０  モーター制御回路
１００    光ディスク装置              ２００    光ディスク
４００    ディスクフォーマット（標準記録モード）
４１０    ディスクフォーマット（高密度記録モード）
４００ａ  ＰＣＡ領域                  ４００ｂ  ＰＭＡ領域
４００ｃ  リードインエリア            ４００ｇ  テストエリア
４００ｈ  カウントエリア              ４００ｉ  記憶領域
【図１】
2005129148.tif 000003
【図２】
2005129148.tif 000004
【図３】
2005129148.tif 000005
【図４】
2005129148.tif 000006
【図５】
2005129148.tif 000007
【図６】
2005129148.tif 000008
【図７】
2005129148.tif 000009
【図８】
2005129148.tif 000010
【図９】
2005129148.tif 000011